(57)【特許請求の範囲】
【請求項１】
遮光板と、
前記遮光板の裏面に配置されたムーブメントによって駆動され、該遮光板の表面に沿って回動する指針と、
前記指針に指示される意匠が形成されると共に光源からの光を導光可能な導光型の文字板と、を有する計器であって、
前記文字板は、
外側に向かって徐々に隆起していくような円環状又は半円環状をして、
前記意匠の形成された意匠形成面が所定角度を持って前記遮光板から前記意匠を視認すべき視点側に浮き上がる
ように配置され、
前記文字板には、
前記意匠形成面と反対側の前記視点側の面における当該意匠形成面と対向する部分に形成された表示面と、
前記視点側の面における内縁部分及び外縁部分に前記表示面を挟むように形成された、該文字板を前記遮光板に取り付けるための取り付け部を前記視点から隠匿するためのシボ加工部と、が設けられ、
前記シボ加工部が、前記表示面から離れるにしたがって徐々に前記意匠形成面側に向かうように当該表示面に対して傾斜して形成されている
ことを特徴とする計器。
【請求項２】
請求項１記載の計器において、
前記所定角度は、
外部光を前記視点に反射させることなく、且つ、前記文字板が配置されるクラスタを該視点に反射させるような角度に設定されている、
ことを特徴とする計器。
【請求項３】
請求項１又は２に記載の計器において、
前記文字板は、
前記所定角度を維持するために前記遮光板に垂直に立設された、前記遮光板と同色の壁を有している、
ことを特徴とする計器。
【発明の詳細な説明】
【技術分野】
【０００１】
本発明は、自動車等に搭載される計器に関し、特に、導光型の文字板を有する計器に関する。
【背景技術】
【０００２】
従来、自動車等に搭載される計器においては、立体感を表現するために様々な工夫がなされている。このような中で、図４に示すような導光型の文字板を有する計器が提案されている。図４は、従来のこの種の計器の要部を示す斜視図である。図５は、図４の計器の問題点を説明するための図４のＢＢ線断面図である。
【０００３】
図４に示すように、従来の計器９は、スピードメータを例にとると、遮光板９３、遮光板９３の裏面に配置されたムーブメント（不図示）によって駆動され、該遮光板９３の表面に沿って回動する指針９２と、指針９２に指示される意匠９１ａ、９１ｂが形成されると共に光源９４からの光を導光可能な導光型の文字板９１と、を有している。
【０００４】
文字板９１は、遮光板９３の表面（ドライバ等の視点側）に取り付けられている。ムーブメント及び光源９４は、遮光板９３の裏面側に配置され、遮光板９３によってドライバ等の視点からは隠匿されている。半円環状の文字板９１の端部は折れ曲がって受光部９１ｃが形成されている。受光部９１ｃは、遮光板９３に設けられた穴９３ａを介して、遮光板９３の裏面側に突き抜けている。
【０００５】
このような構成において、所定の点灯信号によって光源９４が点灯すると、光源９４からの光は受光部９１ｃに入り、半円環状の文字板９１は光輝し、文字板９１が黒色の遮光板９３から浮かびあがったようにドライバから視認される。これにより、計器９において、立体感を表現することができる。なお、指針９２は、周知のように、遮光板９３の裏面側に配置された光源（不図示）からの光を受けて赤色等で光輝すると共にムーブメントにより回転されて、文字板９１に形成された所定の意匠９１ａ、９１ｂを指示する。
【０００６】
なお、上記構成の計器は下記特許文献１にも示されている。
【特許文献１】特開２００３−３０２２６２号公報
【発明の開示】
【発明が解決しようとする課題】
【０００７】
しかしながら、上記従来の計器９においては、ある程度の立体感は表現できるものの、文字板９１は平面的であるので十分な立体感は表現できない。また、図５に示すように、窓側からの外部光Ｓが、文字板９１に反射してドライバの視点ＥＰに入ってしまい、視認されるべき意匠９１ａ、９１ｂの視認性が低下することもあった。すなわち、従来の計器９においては、立体感に乏しいうえに視認性も十分考慮されていなかった。
【０００８】
よって本発明は、上述した現状に鑑み、視認性が良好であり且つ十分な立体感のある計器を提供することを課題としている。
【課題を解決するための手段】
【０００９】
上記課題を解決するためになされた請求項１記載の計器は、遮光板と、前記遮光板の裏面に配置されたムーブメントによって駆動され、該遮光板の表面に沿って回動する指針と、前記指針に指示される意匠が形成されると共に光源からの光を導光可能な導光型の文字板と、を有する計器であって、前記文字板は、外側に向かって徐々に隆起していくような円環状又は半円環状をして、前記意匠の形成された意匠形成面が所定角度を持って前記遮光板から前記意匠を視認すべき視点側に浮き上がるように配置され、前記文字板には、前記意匠形成面と反対側の前記視点側の面における当該意匠形成面と対向する部分に形成された表示面と、前記視点側の面における内縁部分及び外縁部分に前記表示面を挟むように形成された、該文字板を前記遮光板に取り付けるための取り付け部を前記視点から隠匿するためのシボ加工部と、が設けられ、前記シボ加工部が、前記表示面から離れるにしたがって徐々に前記意匠形成面側に向かうように当該表示面に対して傾斜して形成されている、ことを特徴とする。
【００１０】
請求項１記載の発明によれば、文字板は、意匠が形成されると共に光源からの光を導光可能な導光型であり、外側に向かって徐々に隆起していくような円環状又は半円環状をしている。また、文字板は、意匠の形成された意匠形成面が所定角度を持って遮光板から意匠を視認すべき視点側に浮き上がるように配置されている。光源が点灯すると、文字板は外側に向かって徐々に隆起していくような円環状又は半円環状で、遮光板から該視点側に浮き上がるように視認される。また、表示面を挟むように形成され、当該表示面から離れるにしたがって徐々に意匠形成面側に向かうように当該表示面に対して傾斜して形成されたシボ加工部により、文字板を遮光板に取り付けるための取り付け部を視点から隠匿することが可能になる。また、シボ加工部により表示面の立体感を強調することができる。
【００１１】
上記課題を解決するためになされた請求項２記載の計器は、請求項１記載の計器において、前記所定角度は、外部光を前記視点に反射させることなく、且つ、前記文字板が配置されるクラスタを該視点に反射させるような角度に設定されている、ことを特徴とする。
【００１２】
請求項２記載の発明によれば、文字板における意匠の表示面は、外部光を視点に反射させることなく、且つ、文字板が配置されるクラスタを該視点に反射させるような角度に設定されている。
【００１５】
上記課題を解決するためになされた請求項３記載の計器は、請求項１又は２に記載の計器において、前記文字板は、前記所定角度を維持するために前記遮光板に垂直に立設された、前記遮光板と同色の壁を有している、ことを特徴とする。
【００１６】
請求項３記載の発明によれば、所定角度を維持するために遮光板に垂直に立設された、遮光板と同色の壁により、表示面の立体感を更に強調することができる。また、取り付け部を視点から隠匿することが可能になる。
【発明の効果】
【００１７】
請求項１記載の発明によれば、文字板は、意匠が形成されると共に光源からの光を導光可能な導光型であり、外側に向かって徐々に隆起していくような円環状又は半円環状をしている。また、文字板は、意匠の形成された意匠形成面が所定角度を持って遮光板から意匠を視認すべき視点側に浮き上がるように配置されている。光源が点灯すると、文字板は外側に向かって徐々に隆起していくような円環状又は半円環状で、遮光板から該視点側に浮き上がるように視認される。したがって、簡易な構成で立体感のある計器を提供できる。また、表示面を挟むように形成され、当該表示面から離れるにしたがって徐々に意匠形成面側に向かうように当該表示面に対して傾斜して形成されたシボ加工部により、文字板を遮光板に取り付けるための取り付け部を視点から隠匿することが可能になる。また、シボ加工部により表示面の立体感を強調することができる。したがって、より視認性が良好で立体感のある計器を提供できる。
【００１８】
請求項２記載の発明によれば、文字板における意匠の表示面は、外部光を視点に反射させることなく、且つ、文字板が配置されるクラスタを該視点に反射させるような角度に設定されている。したがって、視認性が良好で立体感のある計器を提供できる。
【００２０】
請求項３記載の発明によれば、所定角度を維持するために遮光板に垂直に立設された、遮光板と同色の壁により、表示面の立体感を更に強調することができる。また、取り付け部を視点から隠匿することが可能になる。したがって、更に視認性が良好で立体感のある計器を提供できる。
【発明を実施するための最良の形態】
【００２１】
以下、本発明の実施の形態を図面に基づいて説明する。図１は、本発明の一実施形態に係る計器の要部を示す斜視図である。図２は、図１のＡＡ線断面図である。図３は、本発明の一実施形態に係る計器の断面図である。なお、図３の断面図は、図２の断面方向に対応している。
【００２２】
図１に示すように、実施形態の計器１は、例えば、スピードメータ部を示し、遮光板１３、遮光板１３の裏面に配置されたムーブメントによって駆動され、該遮光板１３の表面に沿って回動する指針１２と、この指針１２に指示される意匠１１２ａ、１１２ｂが形成されると共に光源１４からの光を導光可能な導光型の文字板１１と、を有している。
【００２３】
文字板１１は、導光性のある樹脂製であり、遮光板１３の表面に取り付けられている。ムーブメント（図３参照）及び光源１４は、遮光板１３の裏面側に配置され、遮光板１３によってドライバ等の視点からは隠匿されている。半円環状の文字板１１の端部は折れ曲がって受光部１１５が形成されている。受光部１１５は、遮光板１３に設けられた穴１３ａを介して、遮光板１３の裏側に突き抜けている。受光部１１５は、光源１４としての発光ダイオードに対向するように設定されている。
【００２４】
詳しくは、文字板１１は、図１及び図２に示すように、外側（指針軸方向と逆方向）に向かって徐々に隆起していくような半円環状をして、意匠１１２ａ、１１２ｂを視認すべきドライバの視点ＥＰ１にその表示面１１２及びその裏面が対面するような所定角度を持って、遮光板１３から該視点ＥＰ１側に浮き上がるように配置されている。意匠１１２ａ、１１２ｂは、表示面１１２の裏面側に凸状又は凹状に形成されている。表示面１１２の裏面は、意匠１１２ａ、１１２ｂが形成された意匠形成面である。意匠１１２ａは目盛部に対応し、意匠１１２ｂは数字部に対応している。意匠１１２ａ、１１２ｂは、白色、青色等に着色されている。
【００２５】
表示面１１２の上記所定角度は、窓側からの外部光Ｓを視点ＥＰ１に反射させることなく、且つ、文字板１１周囲の黒色部分を該視点ＥＰ１に反射させるような角度に設定されている。文字板１１周囲の黒色部分とは、例えば、黒色のクラスタやフード等である。
【００２６】
また、文字板１１には、表示面１１２を挟むように、大小半円状にシボ加工部１１１、１１３が形成されている。シボ加工部１１１、１１３は、基本的に、文字板１１を遮光板１３に取り付けるための取り付け部（不図示）を、視点ＥＰ１から隠匿するためのものであるが、表示面１１２の立体感を強調するのにも役立つ。
【００２７】
更に、文字板１１は、上記角度を維持するために遮光板１３に垂直に立設された遮光板と同色の壁１１４を有している。内外の壁１１４には共に、黒色塗装１１４ａ、１１４ｂが施されている。黒色塗装１１４ａ、１１４ｂもまた、取り付け部（不図示）を視点ＥＰ１から隠匿すると同時に、表示面１１２の立体感を強調するのに役立つ。黒色塗装に替えて、壁１１４自体を黒色樹脂で形成するようにしてもよい。なお、ここでは、文字板１１は半円環状を例示しているが、円環状であってもよい。また、正円の円環状であってもよいし、楕円の円環状であってもよい。
【００２８】
指針１２は、周知のように、遮光板１３の裏面側に配置された光源（不図示）からの光を受けて指針底面に形成されたホットスタンプに基づく赤色等で光輝すると共にムーブメントにより回転されて、文字板１１に形成された意匠１１２ａ、１１２ｂを指示する。遮光板１３は、透明生地の樹脂性シートに黒色印刷されたものである。遮光板１３は、裏面に配置されるムーブメントや光源、基板等を視点ＥＰ１から隠匿すると共に、文字板１１を配置するためのベース板となる。
【００２９】
このような構成の文字板１１、指針１２、遮光板１３を計器に組み込むと、例えば、図３のようになる。図３に示すように、計器１は、例えば、車両フロント部の黒色のクラスタ２又はインスツルメントパネル上に配置される。なお、図中、１６はスモーク系の表ガラスを示し、１５は指針１２を回転させるムーブメントを示す。
【００３０】
図１〜図３で示したような構成において、所定の点灯信号によって光源１４が点灯すると、光源１４からの光は受光部１１５に入って文字板１１内を進行する。そうすると、半円環状の導光型の文字板１１は光輝して、着座したドライバの視点ＥＰ１からは、黒色の遮光板１３から浮かびあがったように視認される。これにより、計器１において、立体感を表現することができる。図２に示すように、窓側からの外部光Ｓは、上述した表示面１１２の角度により、視点ＥＰ１に反射することはない。なお、シボ加工部１１１、１１３によって、取り付け部が視点ＥＰ１から隠匿されると共に、表示面１１２の立体感がより強調される。また、ドライバの視点ＥＰ１がＥＰ２にずれたときにも、黒色塗装１１４ａ、１１４ｂが施された壁１１４により、外部光Ｓや導光照明による映り込みを防止することができる。
【００３１】
また、図３に示すように、黒色のクラスタ２を敢えて、視点ＥＰ１に反射させることにより、意匠１１２ａ、１１２ｂをより目だたせることができる。このように、外部光Ｓを視点ＥＰ１に反射させることなく、且つ、黒色のクラスタ２（請求項の文字板周囲の黒色部分）を視点ＥＰ１に反射させることによって、意匠１１２ａ、１１２ｂの視認性を向上させつつ立体感を表現できるようになる。なお、指針１２は、遮光板１３の裏面側に配置された光源からの光を受けて赤色等で光輝すると共にムーブメント１５により回転されて、文字板１１に形成された所定の意匠１１２ａ、１１２ｂを指示する。
【００３２】
以上説明したように、本発明の実施形態によれば、視認性が良好で立体感のある計器が提供できる。
【００３３】
なお、上記実施形態では、車載計器に含まれるスピードメータ部を例に挙げて説明したが、本発明はこれに限定されるものではない。一般的に、この種の計器は、コンビネーションメータともよばれて、タコメータ部、スピードメータ部、水温計部及び燃料計部等が一体化されて構成されるが、本発明はこれらのいずれにも適用可能である。
【図面の簡単な説明】
【００３４】
【図１】本発明の一実施形態に係る計器の要部を示す斜視図である。
【図２】図１のＡＡ線断面図である。
【図３】本発明の一実施形態に係る計器の断面図である。
【図４】従来のこの種の計器の要部を示す斜視図である。
【図５】図４の計器の問題点を説明するための図４のＢＢ線断面図である。
【符号の説明】
【００３５】
１  計器
１１  文字板
１２  指針
１３  遮光板
１４  光源
１５  ムーブメント
１６  表ガラス
１１１、１１３  シボ加工部
１１４  壁
１１５  受光部
【図１】
0004839026.tif 000002
【図２】
0004839026.tif 000003
【図３】
0004839026.tif 000004
【図４】
0004839026.tif 000005
【図５】
0004839026.tif 000006